(57)【要約】【課題】  不織布からなる、家庭でも貼り付けることができる薄い室内用装飾材または下地材を提供すること。【解決手段】  厚みが０．５０ｍｍ以下、坪量が５〜１００ｇ／ｍ２である柔軟性を有する不織布からなり、該不織布は下地に追従して一体化したように透けて見える不織布であることを特徴とする室内用装飾材または下地材。【選択図】  図３
2016166524.tif 000002
【特許請求の範囲】
【請求項１】
厚みが０．５０ｍｍ以下、坪量が５〜１００ｇ／ｍ２である柔軟性を有する不織布からなり、該不織布は下地に追従して一体化したように透けて見える不織布であることを特徴とする室内用装飾材または下地材。
【請求項２】
坪量が５〜６０ｇ／ｍ２、光透過性が２００〜１０００Ｌｕｘである請求項１に記載の室内用装飾材。
【請求項３】
前記不織布が無地、或いはさまざまな印刷方法や着色方法で処理されていることを特徴とする請求項１または２に記載の室内用装飾材または下地材。
【請求項４】
前記厚みは０．０４〜０．３０ｍｍであることを特徴とする請求項１乃至３に記載の室内用装飾材または下地材。
【請求項５】
前記坪量は１０〜３０ｇ／ｍ２であることを特徴とする請求項１乃至４に記載の室内用装飾材または下地材。
【請求項６】
再剥離可能な接着剤を用いて貼着することを特徴とする請求項１乃至５に記載の室内用装飾材または下地材。
【発明の詳細な説明】
【技術分野】
【０００１】
この発明は、既存の壁紙、化粧合板、塗装面などからなる室内の壁面あるいは天井に貼り付けて使用する、室内用装飾材、または壁面あるいは天井と壁紙などの室内用装飾材との間に貼着して使用する下地材に関する。より詳しくは厚みが０．５０ｍｍ以下、坪量が５〜１００ｇ／ｍ２である不織布からなり、該不織布は下地に追従して一体化したように透けて見える不織布であることを特徴とする室内用装飾材または下地材に関する。
【背景技術】
【０００２】
室内の壁面は一般に壁紙や木材、化粧合板、あるいは漆喰・塗料・聚楽・繊維壁といった塗材などを使用して仕上げられている。また、それらはその部屋の使途に応じて素材や色、デザインなどを多種多様に組み合わせるなどして用いられている。
また天井は木材、漆喰、石膏ボード、モルタル、合板などで仕上げられている。また、特殊な建物を除き、最近の住宅では天井には壁紙が用いられることが多い。
【０００３】
壁面や天井に使用される壁紙などの従来の室内用装飾材は、通常は長期間使用するものであり、人やペットまたは家具等が接触することで汚れや傷が付き、また日光にさらされることで日焼けして変色劣化する、或いは温度や湿度変化の繰り返しにより壁面あるいは天井との接合部に隙間が生じ、室内用装飾材が反ってしまい剥がれが生ずる等の変化が多くみられる。
従来の室内用装飾材はボードやコンクリートなどの下地に貼り付ける、塗るなどして下地に接着しており、室内用装飾材に汚れや傷が付いたなどの変化が生じても部分的に取り換えることが容易にできず、たとえ出来たとしても周囲との差異が目立つなどのため全体を取り替える必要があった。
また室内用装飾材に変化が無くても、部屋の雰囲気を変える、季節に合わせて室内用装飾材を取り替えて模様替えをするなどの場合でも全体を取り替えるのは容易ではない。
天井は大胆に装飾されることは少なく、専用の壁紙を除き、一般の壁紙を使って素人が貼り替えるのは非常に難しく困難である。
【０００４】
また従来の室内用装飾材を下地からはがす際に、使用されている接着剤の接着力の強さからうまくはがれず部分的に室内用装飾材が下地に残る、あるいは下地の表面も併せてはがれてしまい下地を傷めてしまうことがあった。
【０００５】
賃貸住宅などの場合は現状変更が認められない場合が多く、上記した問題点があることで室内用装飾材の色やデザインを変えたくとも、変えることが出来ないのがほとんどである。
【０００６】
従来の室内用装飾材の壁紙としては、以下のようなものが知られている。
【０００７】
特許文献１には、エマルジョンバインダー及び鉱物性顔料組成物を含む下地皮膜と、少なくとも５０質量％の合成繊維からなる不織基材からなる合成不織壁紙が記載されている。
特許文献２には、基布とクッション性のある不織布と粘着材からなるシール方式の壁紙が記載されている。
【先行技術文献】
【特許文献】
【０００８】
【特許文献１】特許第５１７９０９８号公報
【特許文献２】特開平６−１６６９９９号公報
【発明の概要】
【発明が解決しようとする課題】
【０００９】
これら従来の壁紙は、厚い基材を使用しているため壁紙全体に厚みがあり、家庭では容易に貼り替えられるものではなく作業に熟練を要し、一般には業者に頼んで貼り替えを行っていた。
また貼り替えると、壁紙の模様や色の違いによって雰囲気が大きく変わってしまう事があった。
またこれらの壁紙は下地に直接貼着し使用するため、使用する接着剤の接着力が強く、剥がす際に上手く剥がれず下地に残るあるいは下地の表面も併せて剥がしてしまうことがあったため、壁紙を剥がした後に別の壁紙をきれいに貼着できないという問題があった。
【課題を解決するための手段】
【００１０】
請求項１に係る発明は、厚みが０．５０ｍｍ以下、坪量が５〜１００ｇ／ｍ２である柔軟性を有する不織布からなり、該不織布は下地に追従して一体化したように透けて見える不織布であることを特徴とする室内用装飾材または下地材に関する。
【００１１】
請求項２に係る発明は、坪量が５〜６０ｇ／ｍ２、光透過性が２００〜１０００Ｌｕｘである請求項１に記載の室内用装飾材に関する。
【００１２】
請求項３に係る発明は、前記不織布が無地、或いはさまざまな印刷方法や着色方法で処理されていることを特徴とする請求項１または２に記載の室内用装飾材または下地材に関する。
【００１３】
請求項４に係る発明は、前記厚みは０．０４〜０．３０ｍｍであることを特徴とする請求項１乃至３に記載の室内用装飾材または下地材に関する。
【００１４】
請求項５に係る発明は、前記坪量は１０〜３０ｇ／ｍ２であることを特徴とする請求項１乃至４に記載の室内用装飾材または下地材に関する。
【００１５】
請求項６に係る発明は、再剥離可能な接着剤を用いて貼着することを特徴とする請求項１乃至５に記載の室内用装飾材または下地材に関する。
【００１６】
この発明では、厚みが０．５０ｍｍ以下、坪量が５〜１００ｇ／ｍ２である不織布を基材として用いており、薄く、軽量であるため高い接着力を必要とせず、既存下地にダメージを与えない接着剤を使用することができ、剥がした後も下地を変化させることが無いため、原状復帰を求められる賃貸住宅にも用いることができる。
また不織布の一部に模様を施すことで模様部分を利用して傷や汚れを隠せ、模様を有さない残余部分は不織布の光透過性により下地が透け下地を活かせ、さらに不織布の厚みや繊維の太さ、繊維密度の違いによる光透過率を適宜選択し、あるいは着色された不織布を用いることで変化の乏しい室内の雰囲気を容易に変えることができる室内用装飾材を提供する。
【００１７】
本発明はさらに壁紙等の従来の室内用装飾材と下地との間に貼着する下地材として用いることで壁紙等の室内用装飾材を直接下地に貼着することを避けられ下地を傷める虞が無い。
また厚みが０．５０ｍｍ以下、坪量が５〜１００ｇ／ｍ２である不織布を基材として用いており、薄く、軽量であるため高い接着力を必要とせず、既存下地にダメージを与えない接着剤を使用することができ、剥がした後も下地を変化させることが無いため、原状復帰を求められる賃貸住宅にも用いることができる。
【発明の効果】
【００１８】
請求項１に係る発明によれば、室内用装飾材は厚みが０．５０ｍｍ以下、坪量が５〜１００ｇ／ｍ２である不織布を用いることで下地と調和しやすく、また不織布は着色すれば色調により装飾効果を発揮し、着色しなくとも素材の風合いを活かせる室内用装飾材とすることができる。
さらに下地材として用いる場合に、上記範囲の厚みと坪量を有することで壁面用装飾材と下地の間に下地材を貼着しても壁面用装飾材が迫り出しているような違和感がなく馴染みやすい。
また該不織布は柔軟性があり、貼り付ける下地の立体感に追従しやすくなり下地の凹凸等を活かすことができる。
【００１９】
請求項２に係る発明によれば、不織布の坪量を５〜６０ｇ／ｍ２、光透過性が２００〜１０００Ｌｕｘとすることで、該不織布は下地が透けて見えるためより下地に調和しやすく、下地を生かすことが可能となる。
【００２０】
請求項３に係る発明によれば、前記不織布は下地が透けて見える不織布からなり、無地あるいはさまざまな印刷方法や着色方法で模様を施しても良い。
【００２１】
請求項４に係る発明によれば、前記室内用装飾材または下地材の厚みは０.０４〜０．３０ｍｍであるため、より下地が透けて見え、室内用装飾材及び下地材の生地が目立たなくなる効果が発揮される。
【００２２】
請求項５に係る発明によれば、前記室内用装飾材または下地材の坪量が望ましくは１０〜３０ｇ／ｍ２であるため、室内用装飾材としての厚さが充分あり、かつ家庭で壁に貼り付ける為にはより扱いやすい厚さの室内用装飾材とすることができる。
また下地材に用いても下地材が目立ちにくいという効果を発揮する。
【００２３】
請求項６に係る発明によれば、再剥離可能な接着剤を用いて貼着することで、剥がす際に下地を傷めることなく剥がすことが出来、また剥がした後に室内用装飾材または下地材が残らないという効果を奏する。
【図面の簡単な説明】
【００２４】
【図１】図１はこの発明にかかる室内用装飾材の一例を示す図である。
【図２】図２は室内用装飾材を貼着する下地の一例を示す図である。
【図３】図３は図２で示した下地の上に図１の室内用装飾材を貼着した例である。
【図４】図４は図１のＡ−Ａ’断面図である。
【図５】図５は図２のＢ−Ｂ’断面図である。
【図６】図６は図３のＣ−Ｃ’断面図である。
【図７ａ】図７ａは従来の室内用装飾材の一例を示す平面図である。
【図７ｂ】図７ｂは図７ａに示す従来の室内用装飾材の一例のＤ−Ｄ’断面図を示す図である。
【図８】図８は図１に示す室内用装飾材を下地材として、図７ａに示す従来の室内用装飾材を貼着した様子を示す図である。
【図９】図９は図８のＥ−Ｅ’断面図を示す図である。
【発明を実施するための形態】
【００２５】
この発明において上記坪量及び厚さを有する不織布は下地材と室内用装飾材の両方の用途に用いることができることとする。
この発明において、室内用装飾材とは壁や天井などの下地に貼着して使用する装飾材を指し、下地材とは前記室内用装飾材を下地に間接的に貼着する場合に用いるものであり下地に貼着しその上から壁紙等の室内用装飾材を貼着して使用するものを指す。
この発明において接着力の強弱は室内用装飾材を貼着した状態から剥がす際に、上手く剥がれず下地に部分的に残る場合や下地の表面を傷つける場合を強、下地に残らず下地の表面を傷つけない場合を弱とする。
【００２６】
図１にはこの発明にかかる室内用装飾材の一例として花柄模様が施された室内用装飾材を記載しているが、本件発明は無地でもよい。また室内用装飾材に施す模様の種類、不織布全体における模様の割合はこの図に示されたものに限定されない。また図面では室内用装飾材は着色されていないが、実際着色されていてもよい。
また図１に示したものを下地材として使用した例を図８に示す。
花柄模様が施された下地材を記載しているが、本件発明は無地でもよい。また下地材に施す模様の種類、不織布全体における模様の割合はこの図に示されたものに限定されない。また図面では下地材は着色されていないが、実際着色されていてもよい。
【００２７】
この室内用装飾材または下地材は不織布からなり、不織布の素材は合成繊維、パルプ、金属等が用いられ、好ましくは寸法安定性、作業性に優れた合成繊維、特に好ましいのは薄くて、軽い丈夫なポリエステル繊維、ナイロン繊維、ポリプロピレン繊維である。不織布に使われる繊維の太さは特に限定しないが、不織布は密度が低い方が好ましい。
不織布の製造方法としては、乾式法、湿式法、紡糸法のほか各種繊維の接合法、例えばスパンボンド法があるが、これらの製造方法に限定されない。また不織布は染色や顔料インクで印刷されていてもよいが、繊維間の目がつぶれないよう透けていることが好ましい。
【００２８】
図２には一例として壁面の下地を示しているが、特に下地の模様、色彩は限定されない。
また図３には一例として図２で示した下地の上に図１の室内用装飾材を貼着した図を示しており、室内用装飾材と下地の模様が調和し自然な仕上がりであることが視認できる。
図６は室内用装飾材を壁面に使用した場合の断面図であり、図５に示す壁面が有している凹凸に図４に示す室内用装飾材が追従していることが示されている。
【００２９】
図７ａ，図７ｂは他の室内用装飾材を示しており、図８は図１で示した室内用装飾材を下地材として図７ａ，図７ｂの室内用装飾材を貼着した様子を示す図である。
図８のように一部に貼ることで装飾効果を発揮してもよく、全体にわたって貼着してもよい。
図９は図８のＥ−Ｅ’断面図であり、壁面が有している凹凸に追従して接着層が設けられ他の室内用装飾材が貼着されている様子がわかる。
【００３０】
不織布の厚みは０．５０ｍｍを超えると下地が透けて見えず、貼着した場合に室内用装飾材が目立つため０．５ｍｍ以下が好ましく、更に不織布の生地が目立たず下地と調和しやすい厚みは０．０４〜０．３０ｍｍが好ましく、更に好ましいのは０．０５ｍｍ以上が印刷のし易さから好ましい。
【００３１】
不織布は坪量が５ｇ／ｍ２未満の場合、貼着時の作業性や印刷適性が悪くなる。また坪量が６０ｇ／ｍ２を超えると、光透過性が悪くなり下地への追従性も悪くなるため室内用装飾材として用いる場合は６０ｇ／ｍ２以下にすることがより好ましい。
上記坪量及び厚さの不織布を下地材として用いる場合に坪量は１００ｇ／ｍ２までのほうが好ましく、図８のように装飾効果を生かしつつ下地材として用いる場合は６０ｇ／ｍ２以下にすることがより好ましい。
室内用装飾材または下地材として好ましい範囲は、５ｇ／ｍ２〜４０ｇ／ｍ２であるが、より好ましくは１０〜３０ｇ／ｍ２の範囲である。
【００３２】
上記坪量及び厚さの不織布を室内用装飾材として用いる場合、不織布の光透過性は２００Ｌｕｘ未満の場合、光の透過量が低く下地が透けず、１０００Ｌｕｘを超えると透過性が高くなりすぎ貼着時の作業性や印刷適性などが悪くなるため、好ましくは２００〜１０００Ｌｕｘの範囲内であり、不織布と下地が調和した印象を受けるのに最適な光透過性は６００〜９００Ｌｕｘの範囲内である。
光透過性の測定方法は、天面に開口部を設けたボックスに、試験片をセットして、赤外線ランプ２５０Ｗを照射し、ボックス底部に照度計の受光部を置いて、照度を測定する。
照度計はＣＵＳＴＯＭ  ＤＩＧＩＴＡＬ  ＬＵＸ  ＭＥＴＥＲ  ＬＸ−１３３２Ｄ（株式会社カスタム製）を用い、赤外線ランプから試験片までの照射距離は２０ｃｍ、受光部までの距離は４０ｃｍであり、用いたボックスのサイズは５５×２７５×Ｈ１８５ｃｍで、開口部サイズは２７０×１４０ｍｍである。
また、光透過性は２００Ｌｕｘ〜１０００Ｌｕｘの範囲内であれば、下地に貼着した場合でも下地が視認でき、不織布が目立たず自然な雰囲気となる。
また下地が視認できるため、室内用装飾材が有している模様のみが下地に部分的に貼着されているかの如く見え、下地が有している装飾効果を活かすことが出来る。
この発明にかかる室内用装飾材は光透過性及び通気性があるため、もとの下地の色が透けて見え、また既存壁面の色と室内用装飾材の色が混ざり合い、温かみがある独特の風合いを与えることができる。
【００３３】
この発明で使用する不織布は下地が透けて見える不織布とされてなる。この不織布は着色することにより装飾効果を発揮するが、無着色でも不織布の素材の風合いを活かせ、また模様との組み合わせにより様々なバリエーションが考えられる。
着色の方法は着色された繊維を用いて不織布を構成してもよく、無着色の不織布を染色したものあるいは印刷したものでもよいがこれに限定されない。
また不織布の種類を適宜選択することで既存の壁紙、天井等に類似或いは全く異なった質感の装飾効果も期待できる。
【００３４】
不織布は１枚のみで使用してもよく、２枚以上重ねて使用してもよい。不織布を２枚以上重ねて用いる場合は、同じ素材の不織布で構成されてもよく、異なる素材の不織布で構成されてもよい。
また２枚以上重ねるときは、異なる模様や色を組み合わせて構成してもよい。
【００３５】
不織布は平滑性を有しているため模様を印刷することが容易である。
該不織布は下地の模様が透けて見えるため、下地の模様と該不織布の模様を調和させることもできる。
この発明にかかる室内用装飾材または下地材に施す模様は、図面に記載されたものに限定されず任意で選択することができ、１種類でもよく、２種類以上組み合わせて施してもよい。
模様を施す場合は、地模様のように細かい模様を施した上に別の模様を施す方法、全面印刷して模様部分を抜く方法が考えられるがこれに限定されない。
【００３６】
この発明にかかる室内用装飾材または下地材は貼着作業性を考慮し、引き裂き強度を有しているほうが好ましい。
【００３７】
この発明にかかる室内用装飾材または下地材は耐光性を有しており、長期間使用しても変色や劣化が少ない。また複数の素材を組み合わせた不織布を用いることで耐光性をさらに上げることができる。
【００３８】
この発明にかかる室内用装飾材または下地材を貼り付ける手段は、下地に応じて変えることができ、例えば耐水性がある下地の場合は水溶性の接着剤、耐熱性がある塩ビ壁紙な  どの場合はホットメルト接着剤が挙げられ、また熱接着性樹脂を用いてアイロンで貼る方法等が考えられるがこれらに限定されない。
またホットメルト接着剤を用いる際は、既存下地への影響が少ないオレフィン系ホットメルト接着剤が好ましいが、これに限定されない。
【００３９】
この発明にかかる室内用装飾材または下地材を貼着する場合、坪量が５〜１００ｇ／ｍ２と軽量であるため、接着力が低い接着剤を用いることができ、剥がす際容易にはがせ、壁面あるいは天井に室内用装飾材がはがれずに残ることがない。また壁面あるいは天井にこの室内用装飾材が残っていると他の室内用装飾材を同じ箇所に貼る際にきれいに貼りにくくなるため、接着力の低い接着剤を用いることで壁面あるいは天井に室内用装飾材が残ることを防ぐことができる。
接着剤としては水溶性のカルボキシメチルセルロース（ＣＭＣ）、デンプンなどが、粘着剤としてはアクリルエマルション樹脂などのアクリル系又はウレタン系が好ましいが、これに限定されない。
【００４０】
この発明にかかる室内用装飾材の使用方法は、下地全体に貼ることもできるが、アクセントとして部分的に貼ることもでき、この室内用装飾材を重ねて使用することもできる。
またこの発明にかかる室内用装飾材を連続して貼る場合には、端と端を突き合わせて貼る突き付け貼り、端と端の部分を数ミリから数センチ重ねて貼る重ね貼り等の方法を用いることができるが、これに限定されない。
【００４１】
この発明にかかる下地材の使用方法は、壁面あるいは天井にあらかじめ貼着あるいは塗布された下地の上に貼着し、その上に壁紙などの室内用装飾材を貼着する。
貼着する室内用装飾材は従来のものでも良く、この発明にかかる室内用装飾材でも良い。
下地材として用いる場合、室内用装飾材を全体に貼着してもよく、一部に貼着することで装飾効果を併せて発揮してもよい。
【００４２】
この発明に係る不織布は坪量が５〜１００ｇ／ｍ２であり軽く、作業のしやすさから壁面への使用のほか、天井の装飾にも用いることができる。
【００４３】
この発明に係る室内用装飾材または下地材は不織布を用いており、布や織物を用いた場合に比べ低コストである。
【産業上の利用可能性】
【００４４】
この発明に係る室内用装飾材は、ＤＩＹとして部屋の模様替えをする場合や、壁の傷や汚れを隠したい場合に業者に頼まなくとも自分で貼着できる薄い室内用装飾材を提供する。
この発明にかかる下地材は、接着力の強い他の室内用装飾材を壁面等に直接貼着することを避けることができ壁面等を傷めずかつ剥がし易いという効果を期待できる。
【図１】
2016166524.tif 000003
【図２】
2016166524.tif 000004
【図３】
2016166524.tif 000005
【図４】
2016166524.tif 000006
【図５】
2016166524.tif 000007
【図６】
2016166524.tif 000008
【図７ａ】
2016166524.tif 000009
【図７ｂ】
2016166524.tif 000010
【図８】
2016166524.tif 000011
【図９】
2016166524.tif 000012